(57)【要約】【課題】本発明は、電気電子技術者小さな電気電子部品や機器の目視検査や耳鼻科医師の鼻腔内や外耳道の医療診察時に生じる暗く深い影を最小化する照明付き観察装置を提供する。【解決手段】光源に表面実装型発光ダイオード８を用い、集光レンズ１３または光導波路で光源を平行光に光束化することで、対象物の生じる暗く深い影を最小化する。【選択図】図３
2019181129.tif 000002
【特許請求の範囲】
【請求項１】
観察者が直接的に覗いて観察するための開口部が形成され、かつ、一部または全てが遮光された本体ハウジングと、
本体ハウジングの該開口部の周囲に設けられ多角状を含む円環状の筒状部と、
前記筒状部内に設けられた複数の表面実装型発光ダイオードから成り、前記開口部を通した観察者の視軸上において隣接する表面実装型発光ダイオードの照射光の光束が重なるように位置に配置された照明光源部と、
前記複数の発光ダイオードの発光に必要な電力を前記光源部に供給する電源部を備えていることを特徴とする照明付き観察装置。
【請求項２】
前記円環状の筒状部に表面実装型ダイオードが発する光を光束化する光導波路および反射板の両方またはどちらかを設けたことを特徴とする請求項１に記載の照明付き観察装置。
【請求項３】
前記本体ハウジングの観察者観察用開口部および周囲に設けられた円環状の筒状部の両方またはどちらかにレンズを設けたことを特徴とする請求項１または請求項２に記載の照明付き観察装置。
【請求項４】
前記筒状部内に設けられた表面実装型発光ダイオードの一部または全てが可動式であることを特徴とする請求項１ないし請求項３のいずれか１項に記載の照明付観察装置。
【請求項５】
前記本体ハウジングの厚さが光源集光用レンズの焦点距離の０．５倍から１．５倍の寸法であることを特徴とする請求項１ないし請求項４のいずれか１項に記載の照明付き観察装置
【請求項６】
前記照明部および電源供給部の両方またはどちらかをヘッドバンドに取り付けたことを特徴とする請求項１ないし請求項５のいずれか１項に記載の照明付き観察装置。
【発明の詳細な説明】
【技術分野】
【０００１】本発明は近接した位置の奥行きのある小さなサイズの穴および隙間の内部や比較的小さい物体などの観察に有用な照明付き観察装置に関する。特に、電気電子部品の製造や検査に使用する照明付拡大鏡や耳鼻咽喉科の医師が使用する反射型額帯鏡に代わるものとして有用な照明付観察装置に関する。
【背景技術】
【０００２】電気電子機器の製造の場、例えば製品検査では機器内部の配線や電子部品の搭載状態の目視による検査確認に照明付拡大鏡が広く利用されている。照明付拡大鏡は電気電子技術者が観察するための直径１５ｃｍ程度の凸レンズを取り囲むように光源を配置した光学器具である。【０００３】ところが、照明付拡大鏡に用いられている光源は放射状に拡散するために観察対象に影が生じ易く、特に、小さな電子部品のハンダ付け状態の確認や検査では、不良個所を見落とされることがある。【０００４】また、医療の場、例えば耳鼻咽喉科の医師の間では、鼻腔内や外耳道、咽喉頭など、奥行きのある穴内部の状態を観察するために、額帯鏡と呼ばれている器具が広く利用されている。額帯鏡は医師が観察するための覗き穴が略中央部にある凹面鏡がヘッドベルトに回動自在に取り付けられたものであり、凹面反射鏡により周囲の照明光を観察対象の穴内部に集光し、医師が覗き穴を通して患部を観察する医療器具である。【０００５】ところが、額帯鏡を使用する際には光源となる外部照明装置を別途用意する必要があるだけでなく、額帯鏡の凹面反射鏡で反射した光は焦点に集光するので焦点では観察ができるが、外部照明装置の位置や医師の姿勢などで観察位置が焦点から外れると、正確で精密な観察は困難となる。光軸と視軸が一致しないからである。【０００６】これに対して、電気電子機器の検査用として、光源を丸形蛍光灯から白色ＬＥＤに変えて明るさの改善により目視検査性能を向上させた照明付拡大鏡が販売されている。【０００７】また、医療機器では、観察者観察用開口部の周囲に設けられた円環状の筒状部に複数の指向性発光ダイオードを配置、更に、この指向性発光ダイオードの向きが可変できるようし、眼鏡などに取り付けることが可能な照明付き観察装置が提案されている。
【先行技術文献】
【特許文献１】特許第３８２９２８７号公報（平成２７年７月２１日権利消滅）
【特許文献２】実用新案登録第３１７８４０５号公報
【発明の概要】
【発明が解決しようとする課題】
【０００８】しかしながら、ＬＥＤ照明付拡大鏡では明るい光が拡散するために、電子部品の目視検査の時により暗く深い影が発生し正確な目視検査には何度も観察する方向を変えなければならない。【０００９】また、特許文献１の照明付観察装置では、複数の指向性発光ダイオードを単に各々の照明光が重なり合うように配置された構成であるために、各々の光軸が観察者の視軸から所定の間隔だけ離れたところで視軸に平行な方向を向くことにより、集光部分の明るさを確保しにくいという問題があった。【００１０】また、実用新案文献１では複数の指向性発光ダイオードについて、観察用開口部を通した観察者の視軸上のクロスポイントに傾斜させているため、クロスポイントから外れると明るさを確保し難く、光軸と視軸とが一部でしか一致していないため鼻腔内や外耳道内など凹凸のある穴内部の観察では凹凸による影が大きくなるという問題があった。【００１１】さらにまた、集光部の明るさを確保するために、複数の指向性発光ダイオードの視軸に対する傾斜を大きくし観察者側にクロスポイントを移動すると観察者の目に照射光が入り観察者を眩惑させてしまうという問題点があった。【００１２】本発明は上記のような課題を解決するために成されたものであって、取り扱いに熟練が不要で電気電子技術者や医師などの観察者が観察対象を効率よく照らして明瞭な条件下で良好な観察することができる照明付観察装置の提供を目的とする。
【課題を解決するための手段】
【００１３】上記課題を解決するために成された本発明は、観察者の少なくとも左右いずれか一方の目の前方に設置され、近接した位置にある奥行きのある小さな寸法の対象物を前記観察者が観察するために該対象物を照明する照明装置が備えられた照明付観察装置であって、観察者が両眼または片眼で直接的に覗いて観察するための開口部が形成され、かつ、一部または全てが遮光された本体ハウジングと、本体ハウジングに設けられた光束化用レンズおよび光導波路の両方またはいずれかと、該開口部の周囲に設けられた円環状筒状部に設けられた複数の表面実装型発光ダイオードによって光を照射する光源部と、筒状部内において表面実装型ダイオードが搭載される電子回路基板と、電子回路基板の設置位置の移動器具または装置と、複数の表面実装型ダイオードの発光に必要な電力を光源部に供給する電源部とを備える。
【発明の効果】
【００１４】本発明に係る照明付観察装置を使用して対象物を観察者が観察するには、この照明付観察装置を両眼または左右いずれか一方の目の前方に観察用開口部を通した視軸と対象物が一致するようにする。本体ハウジング内に環状に配置された発光ダイオードが発する光は集光レンズおよび光導波路またはいずれかにより効率良く集束し太いビーム状に光束化するために、視軸と光軸が完全に一致し、光軸上の明るさは均一となる。この照射特性は電気電子機器の製造検査では小さな電子部品の凹凸による影を最小に抑圧することが可能であり、熟練した技術がなくても正確な目視検査を行うことができる。また、医療分野では咽喉頭、外耳道および中耳、鼻腔内など奥行きがあり内部に凹凸があるような構造の深部まで照明光が届き易いだけでなく、内部の凹凸による影を最小に抑圧することが可能で、初心者でもすぐに使いこなせ、良好な観察を行うことができる。【００１５】また、本発明に係る照明付観察装置では、集光レンズおよび光導波路により本体部が薄型化されるために観察者自ら手で保持して使用することができるが、その他の照明付観察装置の態様として、適当なスタンドなどに本体部を回転自在に取り付けて用いたり、小型化して観察者が装用する眼鏡の左右いずれか一方のレンズの前面に前記本体ハウジングを着脱自在に装着するための装具手段を備える構成としたり、また、額帯鏡用ヘッドベルトなどに本体部を回動自在に取り付けることが望ましい。【００１６】なお、一般的には、本発明に係る照明付観察装置の発光ダイオードとして様々な発光色の発光ダイオードを用いることができるが、電気電子機器の製造検査では高輝度白色ダイオードを用いることが好ましい。また、医療分野では、咽喉頭、外耳道および中耳、鼻腔内の毛細血管が変色せず病的に見えないような発光色の発光ダイオードを用いることが好ましい。【００１７】更に、本発明に係る照明観察装置は本体ハウジングの光源を集光レンズの焦点に配置すれば光はレンズ径と等しい直径に光束化され、小さな電子部品、咽喉頭や中耳の凹凸による影は最小となり、電気電子機器の製造検査や医療診察に好適となる。
【図面の簡単な説明】
【００１８】
【図１】本発明の一実施例による照明付観察装置の使用時の状態を示す全体図。
【図２】本実施例による照明付観察装置の本体部の正面平面図（ａ）およびＡ−Ａ’線断面図
【図３】本実施例の照明付観察装置を使用する際の照明の光束と視軸との関係を示す概念図
【発明の実施をするための形態】
【００１９】以下、本発明に係る照明付観察装置の一実施例について、図１〜図３を参照して具体的に説明する。図１は本実施例による照明付観察装置の使用時の状態を示す全体図、図２はこの照明付観察装置の本体部の正面平面図（ａ）およびＡ−Ａ’線断面図、図３はこの照明付観察装置を使用する際の光路または光束と視軸との関係を示す概念図である。
【００２０】図１に示すように、本実施例の照明付観察装置は、観察者自身が保持して使用する本体部と、該本体部１とケーブル２で接続されたバッテリーケース３とを含む。バッテリーケース３内には後述するように本体部１に内蔵される複数の表面実装型発光ダイオードに電力を供給するための電池が収容されている。
【００２１】図２に示すように、本体部１は環状外筒体４および環状内筒体（観察穴）５にレンズマウント６および底蓋７が嵌め込まれた外径：６０ｍｍ、厚さ３５ｍｍの円筒形状である。本体中心部の円筒寸法は外径：２０ｍｍ、である。レンズマウントは外径：６０ｍｍ、板厚：１．５ｍｍであって、中央に拡大レンズを搭載するために内径：２０ｍｍの円形開口が形成され、また、その周囲に集光レンズを搭載するための６つの内径１０ｍｍの円形開口が形成された円盤状体である。
【００２２】本体部１には表面実装型発光ダイオード８を搭載した電子回路基板９が組み込まれている。電子回路基板９への電源は電源コード用穴を通った配線コード２から供給されている。更に、電子回路基板９には位置調整ネジ１０が取り付けられ電子回路基板９の取り付け位置の調整が可能となっている。なお、表面実装型発光ダイオードの発光色は用途や観察者の好みにより選ばれる。
【００２３】内筐体５には拡大レンズ１２が搭載されている。拡大レンズは直径：１０ｍｍ、焦点距離：３０ｍｍである。レンズマウントには集光レンズ１３が搭載されている。集光レンズは直径１０ｍｍ、焦点距離１５ｍｍである。図３に示すように、電子回路基板位置調整ネジ１０により電子回路基板９と集光レンズ１３までの距離を焦点距離に調整すれば、光源中心部の光は集光レンズ１３により平行光となり対象物Ｏの陰影は最も小さくなる。
【００２４】また、上記実施例は本発明の一例であるから、上記記載以外の点についても、本発の趣旨の範囲で適宜変形、修正、追加を行っても本願特許申請の範囲に包含されることは当然である。
【符号の説明】
【００２５】１    本体部
２    配線コード
３    バッテリーケース
４    外筐体
５    内筐体
６    レンズマウント
７    底蓋
８    表面実装型発光ダイオード
９    電子回路基板
１０  電子回路基板位置調整ネジ
１１  配線コード用穴
１２  拡大レンズ
１３  集光レンズ
Ｐ    視軸
Ｂ    光束（平行光）
Ｏ    対象物
【図１】
2019181129.tif 000003
【図２】
2019181129.tif 000004
【図３】
2019181129.tif 000005